(57)【要約】【課題】ユーザーの利便性を向上させることができる料金徴収システムを提供する。【解決手段】料金徴収システム４００は、複数の画像形成装置１００と、携帯端末装置２００とを備える。携帯端末装置２００は、記憶部２４０と、制御部２３０とを有する。アプリケーションソフトウェアは、仮想通貨で料金徴収処理を実行可能である。制御部２３０は、アプリケーションソフトウェアを実行する。制御部２３０は、アプリケーションソフトウェアを実行する際、携帯端末装置２００と通信可能である複数の画像形成装置１００を検出する。制御部２３０は、通信可能である複数の画像形成装置１００のうち料金徴収の対象となる対象画像形成装置１００Ａを特定する。対象画像形成装置１００Ａは、料金を徴収する口座アドレスを携帯端末装置２００に通知する。制御部２３０は、料金に応じて口座アドレスに仮想通貨を送金する。【選択図】図１
2019125139.tif 000002
【特許請求の範囲】
【請求項１】
ユーザーから料金を徴収する料金徴収システムであって、
複数の画像形成装置と、
前記複数の画像形成装置と通信可能である携帯端末装置と
を備え、
前記携帯端末装置は、
仮想通貨で料金徴収処理を実行可能なアプリケーションソフトウェアを記憶する記憶部と、
前記アプリケーションソフトウェアを実行する制御部と
を有し、
前記制御部は、
前記アプリケーションソフトウェアを実行する際、前記携帯端末装置と通信可能である前記複数の画像形成装置を検出し、
通信可能である前記複数の画像形成装置のうち料金徴収の対象となる対象画像形成装置を特定し、
前記対象画像形成装置は、前記料金を徴収する口座アドレスを前記携帯端末装置に通知し、
前記制御部は、前記料金に応じて前記口座アドレスに前記仮想通貨を送金する、料金徴収システム。
【請求項２】
前記携帯端末装置は、画像を表示する表示部をさらに有し、
前記制御部は、通信可能である前記複数の画像形成装置を示すリストを前記表示部に表示させる、請求項１に記載の料金徴収システム。
【請求項３】
前記制御部は、前記複数の画像形成装置のうち、前記携帯端末装置からの距離が近い画像形成装置から順番に並ぶように前記リストを前記表示部に表示させる、請求項２に記載の料金徴収システム。
【請求項４】
前記リストは、前記複数の画像形成装置の状態を示す情報を含む、請求項２または請求項３に記載の料金徴収システム。
【請求項５】
前記携帯端末装置は、前記ユーザーの入力を受け付ける入力部をさらに有し、
前記入力部は、前記リストに含まれる前記複数の画像形成装置のうちから前記対象画像形成装置を選択する入力を受け付ける、請求項２から請求項４のいずれか１項に記載の料金徴収システム。
【請求項６】
前記制御部は、前記複数の画像形成装置のうち、前記携帯端末装置からの距離が近い画像形成装置を前記対象画像形成装置として特定する、請求項１から請求項５のいずれか１項に記載の料金徴収システム。
【請求項７】
前記制御部は、前記対象画像形成装置に画像形成処理の指示を送信し、
前記対象画像形成装置は、前記指示に基づいて前記画像形成処理を実行し、前記画像形成処理に関する前記料金を算出し、前記携帯端末装置に算出された前記料金を送信する、請求項１から請求項６のいずれか１項に記載の料金徴収システム。
【請求項８】
前記制御部は、前記対象画像形成装置に画像形成処理の指示を送信する前に、前記口座アドレスに前記仮想通貨を送金する、請求項７に記載の料金徴収システム。
【請求項９】
前記料金は、前記対象画像形成装置で使用される商品の料金を示す、請求項１から請求項８のいずれか１項に記載の料金徴収システム。
【発明の詳細な説明】
【技術分野】
【０００１】
本発明は、料金徴収システムに関する。
【背景技術】
【０００２】
特許文献１に記載の利用料金徴収システムでは、料金の支払い用のバーコードをバーコードリーダーで読み取ることによって料金を徴収している。詳しくは、特許文献１に記載の利用料金徴収システムでは、料金の支払い用のバーコードがメールでユーザーの携帯端末に送信される。そして、携帯端末に表示されるバーコードをバーコードリーダーで読み取ることによって料金を徴収している。
【先行技術文献】
【特許文献】
【０００３】
【特許文献１】特開２０１４−４８７７６号公報
【発明の概要】
【発明が解決しようとする課題】
【０００４】
しかしながら、特許文献１に記載の利用料金徴収システムでは、バーコードリーダーによって手動でバーコードを読み取る必要があるため、ユーザーの利便性が低かった。
【０００５】
本発明は上記課題に鑑みてなされたものであり、その目的はユーザーの利便性を向上させることができる料金徴収システムを提供することにある。
【課題を解決するための手段】
【０００６】
本発明に係る料金徴収システムは、ユーザーから料金を徴収する。前記料金徴収システムは、複数の画像形成装置と、携帯端末装置とを備える。前記携帯端末装置は、前記複数の画像形成装置と通信可能である。前記携帯端末装置は、記憶部と、制御部とを有する。前記記憶部は、アプリケーションソフトウェアを記憶する。前記アプリケーションソフトウェアは、仮想通貨で料金徴収処理を実行可能である。前記制御部は、前記アプリケーションソフトウェアを実行する。前記制御部は、前記アプリケーションソフトウェアを実行する際、前記携帯端末装置と通信可能である前記複数の画像形成装置を検出する。前記制御部は、通信可能である前記複数の画像形成装置のうち料金徴収の対象となる対象画像形成装置を特定する。前記対象画像形成装置は、前記料金を徴収する口座アドレスを前記携帯端末装置に通知する。前記制御部は、前記料金に応じて前記口座アドレスに前記仮想通貨を送金する。
【発明の効果】
【０００７】
本発明によれば、ユーザーの利便性を向上させることができる。
【図面の簡単な説明】
【０００８】
【図１】本発明の実施形態に係る料金徴収システムの図である。
【図２】画像形成装置の構成図である。
【図３】画像形成装置を示す図である。
【図４】携帯端末装置を示す図である。
【図５】本発明の実施形態に係る料金徴収システムの料金徴収方法を示すフローチャートである。
【図６】表示部を示す図である。
【図７】表示部を示す図である。
【図８】本発明の実施形態に係る料金徴収システムの画像形成処理における料金徴収方法を示すフローチャートである。
【図９】本発明の実施形態に係る料金徴収システムの購入処理における料金徴収方法を示すフローチャートである。
【図１０】本発明の実施形態に係る料金徴収システムの料金徴収方法を示すフローチャートである。
【発明を実施するための形態】
【０００９】
以下、本発明の実施形態について、図面を参照しながら説明する。なお、図中、同一または相当部分については同一の参照符号を付して説明を繰り返さない。
【００１０】
図１を参照して、本発明の実施形態に係る料金徴収システム４００について説明する。図１は、本発明の実施形態に係る料金徴収システム４００の図である。
【００１１】
図１に示すように、料金徴収システム４００は、複数の画像形成装置１００と、携帯端末装置２００と、サーバー３００とを備える。料金徴収システム４００は、ユーザーから料金を徴収するシステムである。料金は、例えば、画像形成装置１００において、画像形成処理を行った際に発生する料金である。あるいは、例えば、料金は、画像形成装置１００で使用される商品の料金である。料金徴収システム４００は、仮想通貨を用いて料金を徴収する。仮想通貨は、電子的な取引に使用される通貨である。仮想通貨は、暗号化されていることが好ましい。
【００１２】
複数の画像形成装置１００は、画像形成装置１００Ａと、画像形成装置１００Ｂと、画像形成装置１００Ｃとを含む。複数の画像形成装置１００と、サーバー３００とはネットワークＮＷを介して接続している。ネットワークＮＷは、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、および電話回線を含む。複数の画像形成装置１００のそれぞれには、口座アドレスが割り付けられている。
【００１３】
携帯端末装置２００は、例えば、スマートフォンである。携帯端末装置２００は、複数の画像形成装置１００と通信可能である。携帯端末装置２００は、表示部２１０と、入力部２２０とを有する。
【００１４】
サーバー３００は、複数の画像形成装置１００の口座アドレスを管理する。口座アドレスは、例えば、ＩＰアドレスである。口座アドレスは、画像形成装置１００ごとに異なる。サーバー３００は、料金として仮想通貨が口座アドレスに送金されると、口座アドレスに対応する画像形成装置１００に対して処理を実行の指示を示す信号を出力する。
【００１５】
図２を参照して、本発明の実施形態に係る画像形成装置１００の構成を説明する。図２は、画像形成装置１００の構成図である。画像形成装置１００は、例えば、複写機、プリンター、または複合機である。以下では、一例として、画像形成装置１００がプリンター機能と複写機能とファクシミリ機能とを有するモノクロ複合機である場合について説明する。
【００１６】
画像形成装置１００は、補給部２０、駆動部ＭＴ、記憶部５０、制御部１０、通信部６０、表示部３０、入力部４０、原稿読取部７０、画像形成ユニット８０、給送部９０、搬送部９１、および排出部９２を備える。なお、原稿読取部７０、画像形成ユニット８０、給送部９０、搬送部９１、および排出部９２の構成については、図３を参照して後述する。
【００１７】
補給部２０は、装着部２１を含む。補給部２０は、画像形成ユニット８０にトナーＣＴを補給する。具体的には、装着部２１には、交換部品Ｃが着脱可能に装着される。
【００１８】
交換部品Ｃは、例えば、トナーカートリッジである。交換部品Ｃは、収容部ＣＡと、排出部材ＣＢとを有する。収容部ＣＡは、トナーＣＴを収容する。排出部材ＣＢは、回転駆動することによって収容部ＣＡからトナーＣＴを排出する。トナーＣＴは、複数のトナー粒子で構成される。
【００１９】
駆動部ＭＴは、例えば、モーターである。駆動部ＭＴは、排出部材ＣＢを回転駆動させる。駆動部ＭＴが排出部材ＣＢを回転駆動させることによって、排出部材ＣＢは収容部ＣＡからトナーＣＴを排出する。その結果、画像形成ユニット８０にトナーＣＴが補給される。
【００２０】
表示部３０は、ソフトウェアボタンを表示可能なタッチパネル機能を有するディスプレーであり、操作パネルに配置される。このようなタッチパネル機能は、表示部３０と入力部４０とを兼ね得る。表示部３０は、画像を表示する。
【００２１】
入力部４０は、例えば、タッチパネル機能と種々のハードウェアボタンとを有する操作パネルである。入力部４０には、ユーザーによる指示が入力される。
【００２２】
記憶部５０は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）によって構成される。記憶部５０は、外部メモリーを含んでいてもよい。外部メモリーは、リムーバブルメディアである。記憶部５０は、外部メモリーとして、例えば、ＵＳＢ（Ｕｎｉｖｅｒｓａｌ  Ｓｅｒｉａｌ  Ｂｕｓ）メモリー、およびＳＤ（Ｓｅｃｕｒｅ  Ｄｉｇｉｔａｌ）カードを含む。記憶部５０は、各種のデータ、および、画像形成装置１００の各部の動作を制御するための制御プログラムを記憶する。制御プログラムは、制御部１０によって実行される。
【００２３】
制御部１０は、ＣＰＵ（Ｃｅｎｔｒａｌ  Ｐｒｏｃｅｓｓｉｎｇ  Ｕｎｉｔ）のようなプロセッサー、およびＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成されるハードウェア回路である。制御部１０は、記憶部５０に記憶された制御プログラムをプロセッサーが読み出して実行することによって、画像形成装置１００の各部の動作を制御する。制御部１０は、画像形成ユニット８０によるトナーＣＴを消費する動作を制御する。
【００２４】
通信部６０は、ネットワークＮＷを介して他の画像形成装置１００およびサーバー３００と通信可能に接続される。ネットワークＮＷは、例えば、ＬＡＮ、ＷＡＮ、および電話回線を含む。ネットワークＮＷを介して外部端末装置Ｅとの間で各種のデータを送受信する。各種のデータは、例えば、印刷ジョブデータ、Ｅメールデータおよびファクシミリデータを含む。
【００２５】
続いて、図３を参照して、原稿読取部７０、画像形成ユニット８０、給送部９０、搬送部９１、および排出部９２の構成について説明する。図３は、画像形成装置１００を示す図である。
【００２６】
原稿読取部７０は、原稿Ｇ（例えば、コピー印刷するための原稿）の画像を読み取る。給送部９０は、複数のシートＳを収容し、搬送部９１へシートＳを給送する。シートＳは、例えば、紙製または合成樹脂製のシートである。搬送部９１は、複数の搬送ローラー対を含み、画像形成ユニット８０にシートＳを搬送する。
【００２７】
画像形成ユニット８０は、トナーＣＴを消費することによってシートＳに画像を形成する。詳しくは、画像形成ユニット８０は、電子写真方式によってシートＳに印刷画像を形成し、印刷画像を加熱および加圧してシートＳに印刷画像を定着させる。具体的には、画像形成ユニット８０は、感光体ドラムと、帯電装置と、露光装置と、現像装置と、転写装置と、クリーニング装置と、除電装置と、定着装置とを含む。印刷画像は、例えば、原稿Ｇの画像、記憶部５０に記憶されているデータに対応する画像、または、外部端末装置Ｅから受信したデータに対応する画像である。搬送部９１は、印刷画像の定着されたシートＳを排出部９２に搬送する。排出部９２は画像形成装置１００の外部にシートＳを排出する。
【００２８】
続いて、図４を参照して、携帯端末装置２００の構成について説明する。図４は、携帯端末装置２００を示す図である。
【００２９】
図４に示すように、携帯端末装置２００は、表示部２１０と、入力部２２０と、制御部２３０と、記憶部２４０と、通信部２５０とを有する。
【００３０】
表示部２１０は、例えば、ディスプレーである。表示部２１０は、画像を表示する。
【００３１】
入力部２２０は、例えば、タッチパネルである。入力部２２０は、ユーザーの入力を受け付ける。入力部２２０には、ユーザーによる各種指示が入力される。
【００３２】
制御部２３０は、制御部２３０は、ＣＰＵのようなプロセッサー、およびＡＳＩＣ等によって構成されるハードウェア回路である。制御部２３０は、記憶部２４０に記憶された制御プログラムをプロセッサーが読み出して実行することによって、携帯端末装置２００の各部の動作を制御する。また、制御部２３０は、記憶部２４０に記憶されたアプリケーションソフトウェアを実行する。
【００３３】
記憶部２４０は、ＲＡＭおよびＲＯＭによって構成される。記憶部２４０は、外部メモリーを含んでいてもよい。記憶部２４０は、各種のデータ、および、携帯端末装置２００の各部の動作を制御するための制御プログラムを記憶する。制御プログラムは、制御部２３０によって実行される。記憶部２４０は、アプリケーションソフトウェアを記憶する。アプリケーションソフトウェアは、仮想通貨で料金徴収処理を実行可能である。
【００３４】
通信部２５０は、画像形成装置１００と通信する。詳しくは、通信部２５０は、画像形成装置１００と無線通信によって通信する。無線通信は、例えば、ブルートゥース（登録商標）である。あるいは、通信部２５０は、無線ＬＡＮを介して画像形成装置１００と通信する。
【００３５】
図１〜図５を参照して、本発明の実施形態に係る料金徴収システム４００の料金徴収方法について説明する。図５は、本発明の実施形態に係る料金徴収システム４００の料金徴収方法を示すフローチャートである。図５に示すステップＳ１０２〜ステップＳ１１８の処理が実行されることによって、料金徴収が行われる。
【００３６】
ステップＳ１０２：制御部２３０がアプリケーションソフトウェアを起動する。詳しくは、ユーザーが携帯端末装置２００を操作することによって、入力部２２０を介してアプリケーションソフトウェアを起動する。処理は、ステップＳ１０４に進む。
【００３７】
ステップＳ１０４：制御部２３０は、携帯端末装置２００と通信可能な画像形成装置１００を検出する。処理は、ステップＳ１０６に進む。
【００３８】
ステップＳ１０６：制御部２３０は、携帯端末装置２００と通信可能な画像形成装置１００を表示部２１０に表示させる。詳しくは、図６に示すように、制御部２３０は、通信可能な画像形成装置１００のリスト５１０を表示させる。リスト５１０の詳細は、図６を参照して後述する。処理は、ステップＳ１０８に進む。
【００３９】
ステップＳ１０８：制御部２３０は、通信可能である画像形成装置１００のうち対象画像形成装置１００Ａを特定する。対象画像形成装置１００Ａは、料金徴収の対象となる画像形成装置を示す。処理は、ステップＳ１１０に進む。
【００４０】
ステップＳ１１０：制御部２３０は、対象画像形成装置１００Ａの口座アドレスを取得する。詳しくは、対象画像形成装置１００Ａは、口座アドレスを携帯端末装置２００に通知する。そして、制御部２３０は、対象画像形成装置１００Ａの口座アドレスを取得する。口座アドレスは、例えば、ＩＰアドレスである。口座アドレスは、画像形成装置１００ごとに異なる。処理は、ステップＳ１１２に進む。
【００４１】
ステップＳ１１２：制御部２３０は、ユーザーによって選択された処理を特定する。詳しくは、図７に示す処理選択画面５２０においてユーザーによって選択された処理を、制御部２３０は特定する。処理選択画面５２０の詳細は、は、図７を参照して後述する。処理は、ステップＳ１１４に進む。
【００４２】
ステップＳ１１４：制御部２３０は、料金情報を取得する。料金情報は、例えば、画像形成処理に必要な料金を示す。処理は、ステップＳ１１６に進む。
【００４３】
ステップＳ１１６：制御部２３０は、料金に応じて口座アドレスに仮想通貨を送金する。処理は、ステップＳ１１８に進む。
【００４４】
ステップＳ１１８：処理を実行する。詳しくは、サーバー３００が仮想通貨の送金を受け取ると処理を実行する。処理は、例えば、画像形成装置１００の画像形成処理または商品の購入処理である。画像形成処理の詳細については、図８を参照して後述する。購入処理の詳細については、図９を参照して後述する。処理は、終了する。
【００４５】
続いて、図６を参照して、リスト５１０について説明する。図６は、表示部２１０を示す図である。
【００４６】
図６に示すように、制御部２３０は、アプリケーションソフトウェアを実行する際、リスト５１０を表示部２１０に表示させる。リスト５１０は、通信可能である画像形成装置１００を示す。
【００４７】
リスト５１０は、機種情報５１２と、接続情報５１４と、機器状態情報５１６を含む。機種情報５１２は、例えば、画像形成装置１００の機種名を示す。接続情報５１４は、携帯端末装置２００と画像形成装置１００とのネットワークＮＷの接続状態を示す。「ＰＩＮＧ」は携帯端末装置２００と画像形成装置１００とが通信可能であることを示す。機器状態情報５１６は、画像形成装置１００の状態を示す。機器状態情報５１６は、例えば、画像形成装置１００のトナーカートリッジに収容されているトナーＣＴが無くなっていることを示す情報を示す。リスト５１０は、さらに、画像形成装置１００の位置情報を含んでもよい。位置情報は、例えば、「２階の会議室」である。
【００４８】
制御部２３０は、携帯端末装置２００からの距離が近い画像形成装置１００から順番に並ぶようにリスト５１０を表示部２１０に表示させる。
【００４９】
入力部２２０は、リスト５１０に含まれる画像形成装置１００のうちから対象画像形成装置１００Ａを選択する入力を受け付ける。詳しくは、ユーザーがリスト５１０に含まれる画像形成装置１００のうちから選択された画像形成装置１００を、制御部２３０は対象画像形成装置１００Ａに特定する。ここでは、機種名「ＭＦＰ  Ａ」が対象画像形成装置１００Ａに選択されている。そして、制御部２３０は、対象画像形成装置１００Ａの口座アドレスを対象画像形成装置１００Ａから取得する。すなわち、機種名「ＭＦＰ  Ａ」の画像形成装置１００の口座アドレスを取得する。
【００５０】
なお、制御部２３０は、携帯端末装置２００からの距離が近い画像形成装置１００を自動的に対象画像形成装置１００Ａに特定してもよい。
【００５１】
続いて、図７を参照して、処理選択画面５２０について説明する。図７は、表示部２１０を示す図である。図７に示すように、対象画像形成装置１００Ａが選択されると、制御部２３０は、処理選択画面５２０を表示部２１０に表示させる。
【００５２】
処理選択画面５２０は、画像形成処理ボタン５２２と、購入処理ボタン５２４と、入金処理ボタン５２６とを含む。
【００５３】
ユーザーが画像形成処理ボタン５２２を接触操作することによって、画像形成処理を実行するための画面が表示される。したがって、ユーザーは画像形成処理の機能を使用することができる。画像形成処理は、例えば、印刷、スキャンまたはコピーである。
【００５４】
ユーザーが購入処理ボタン５２４を接触操作することによって、購入処理を実行するための画面が表示される。したがって、ユーザーは画像形成装置１００で使用される商品を購入することができる。商品は、例えば、対象画像形成装置１００Ａのトナーカートリッジである。なお、商品は、アプリケーションのような追加のソフトウェアであってもよい。あるいは、商品は、カセット、後処理装置のような追加のハードウェア装置であってもよい。
【００５５】
ユーザーが入金処理ボタン５２６を接触操作することによって、入金処理ボタン５２６を実行するための画面が表示される。したがって、ユーザーは口座アドレスに入金をすることができる。
【００５６】
図１〜図４および図８を参照して、本発明の実施形態に係る料金徴収システム４００の画像形成処理における料金徴収方法について説明する。図８は、本発明の実施形態に係る料金徴収システム４００の画像形成処理における料金徴収方法を示すフローチャートである。図８に示すステップＳ２０２〜ステップＳ２１０の処理が実行されることによって、料金徴収が行われる。
【００５７】
ステップＳ２０２：制御部２３０は、印刷ジョブを送信する。すなわち、制御部２３０は、対象画像形成装置１００Ａに画像形成処理の指示を送信する。詳しくは、制御部２３０は、対象画像形成装置１００Ａに印刷データと、印刷条件を送信する。処理は、ステップＳ２０４に進む。
【００５８】
ステップＳ２０４：対象画像形成装置１００Ａは、印刷ジョブを実行するために必要な料金を算出する。すなわち、画像形成処理に関する料金を算出する。画像形成処理は、例えば、印刷、スキャンまたはコピーである。処理は、ステップＳ２０６に進む。
【００５９】
ステップＳ２０６：制御部２３０は、印刷ジョブの料金情報を取得する。詳しくは、まず、対象画像形成装置１００Ａが、携帯端末装置２００に算出された料金を送信する。そして、制御部２３０は、算出された料金を取得する。処理は、ステップＳ２０８に進む。
【００６０】
ステップＳ２０８：制御部２３０は、料金に応じて口座アドレスに仮想通貨を送金する。処理は、ステップＳ２１０に進む。
【００６１】
ステップＳ２１０：対象画像形成装置１００Ａは、印刷ジョブに基づいて画像形成を実行する。すなわち、対象画像形成装置１００Ａは、画像形成処理の指示に基づいて画像形成を実行する。処理は、終了する。
【００６２】
図１〜図４および図９を参照して、本発明の実施形態に係る料金徴収システム４００の購入処理における料金徴収方法について説明する。図９は、本発明の実施形態に係る料金徴収システム４００の購入処理における料金徴収方法を示すフローチャートである。図９に示すステップＳ３０２〜ステップＳ３１０の処理が実行されることによって、料金徴収が行われる。
【００６３】
ステップＳ３０２：制御部２３０は、商品を特定する。商品は、例えば、対象画像形成装置１００Ａのトナーカートリッジである。なお、商品は、アプリケーションのような追加のソフトウェアであってもよい。あるいは、商品は、カセット、後処理装置のような追加のハードウェア装置であってもよい。制御部２３０は、商品が特定されると、サーバー３００に送信する。処理は、ステップＳ３０４に進む。
【００６４】
ステップＳ３０４：サーバー３００は、商品の料金を算出する。処理は、ステップＳ３０６に進む。
【００６５】
ステップＳ３０６：制御部２３０は、商品の料金情報を取得する。まず、サーバー３００が、携帯端末装置２００に算出された料金を送信する。そして、制御部２３０は、算出された料金を取得する。処理は、ステップＳ３０８に進む。
【００６６】
ステップＳ３０８：制御部２３０は、料金に応じて口座アドレスに仮想通貨を送金する。処理は、ステップＳ３１０に進む。
【００６７】
ステップＳ３１０：サーバー３００は、商品の購入処理を実行する。処理は、終了する。
【００６８】
以上、図１〜図９を参照して説明したように、料金徴収システム４００では、対象画像形成装置１００Ａは、料金を徴収する口座アドレスを携帯端末装置２００に通知する。そして、制御部２３０は、料金に応じて口座アドレスに仮想通貨を送金する。したがって、ユーザーは料金を支払うための口座アドレスを自動的に取得できる。その結果、ユーザーの利便性を向上させることができる。
【００６９】
また、制御部２３０は、通信可能である画像形成装置１００のリスト５１０を表示部２１０に表示させる。したがって、ユーザーは、リスト５１０から処理を実行させる画像形成装置１００を選択することができる。
【００７０】
また、制御部２３０は、携帯端末装置２００からの距離が近い画像形成装置１００から順番に並ぶようにリスト５１０を表示部２１０に表示させる。したがって、ユーザーは、距離が近い画像形成装置１００を選択しやすくなる。
【００７１】
また、リスト５１０は、画像形成装置１００の状態を示す情報を含む。したがって、ユーザーは、画像形成装置１００の状態を確認することができる。例えば、ユーザーは、画像形成装置１００のトナーカートリッジに収容されているトナーＣＴが無くなっていることを確認することができる。
【００７２】
また、入力部２２０は、リスト５１０に含まれる画像形成装置１００のうちから対象画像形成装置１００Ａを選択する入力を受け付ける。したがって、ユーザーが選択した画像形成装置１００を対象画像形成装置１００Ａに特定することができる。
【００７３】
また、制御部２３０は、対象画像形成装置１００Ａを携帯端末装置２００からの距離が近い画像形成装置１００に特定する。したがって、対象画像形成装置１００Ａが自動的に選択され、ユーザーが、対象画像形成装置１００Ａを選択する手間を省くことができる。
【００７４】
なお、制御部２３０は、対象画像形成装置１００Ａに画像形成処理の指示を送信する前に、口座アドレスに仮想通貨を送金してもよい。図１〜図４および図１０を参照して、本発明の実施形態に係る料金徴収システム４００の画像形成処理における料金徴収方法について説明する。図１０は、本発明の実施形態に係る料金徴収システム４００の料金徴収方法を示すフローチャートである。図１０に示すステップＳ４０２〜ステップＳ４１０の処理が実行されることによって、料金徴収が行われる。
【００７５】
ステップＳ４０２：制御部２３０は、口座アドレスに仮想通貨を送金する。処理は、ステップＳ４０４に進む。
【００７６】
ステップＳ４０４：制御部２３０は、印刷ジョブを送信する。すなわち、制御部２３０は、対象画像形成装置１００Ａに画像形成処理の指示を送信する。詳しくは、制御部２３０は、対象画像形成装置１００Ａに印刷データと、印刷条件を送信する。処理は、ステップＳ４０６に進む。
【００７７】
ステップＳ４０６：対象画像形成装置１００Ａは、印刷ジョブに基づいて画像形成を実行する。すなわち、対象画像形成装置１００Ａは、画像形成処理の指示に基づいて画像形成を実行する。処理は、ステップＳ４０８に進む。
【００７８】
ステップＳ４０８：制御部２３０は、印刷ジョブが完了したか否かを判定する。制御部２３０が、印刷ジョブが完了していないと判定した場合（ステップＳ４０８：Ｎｏ）、処理は、ステップＳ４１０に進む。制御部２３０が、印刷ジョブが完了したと判定した場合（ステップＳ４０８：Ｙｅｓ）、処理は終了する。
【００７９】
ステップＳ４１０：制御部２３０は、仮想通貨が残っているかを判定する。制御部２３０が、仮想通貨が残っていると判定した場合（ステップＳ４１０：Ｙｅｓ）、処理は、ステップＳ４０６に戻る。制御部２３０が、仮想通貨が残っていないと判定した場合（ステップＳ４１０：Ｎｏ）、処理は、終了する。
【００８０】
図１〜図４および図９を参照して説明したように、制御部２３０は、対象画像形成装置１００Ａに画像形成処理の指示を送信する前に、口座アドレスに仮想通貨を送金する。したがって、対象画像形成装置１００Ａは、送金された仮想通貨が無くなるまで画像形成処理を実行する。その結果、ユーザーは予め仮想通貨を送金し、対象画像形成装置１００Ａの画像形成処理の機能を使用することができる。
【００８１】
以上、図面（図１〜図１０）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【符号の説明】
【００８２】
１００    画像形成装置
１００Ａ  対象画像形成装置
２００    携帯端末装置
２１０    表示部
２２０    入力部
２３０    制御部
２４０    記憶部
４００    料金徴収システム
５１０    リスト
【図１】
2019125139.tif 000003
【図２】
2019125139.tif 000004
【図３】
2019125139.tif 000005
【図４】
2019125139.tif 000006
【図５】
2019125139.tif 000007
【図６】
2019125139.tif 000008
【図７】
2019125139.tif 000009
【図８】
2019125139.tif 000010
【図９】
2019125139.tif 000011
【図１０】
2019125139.tif 000012